(57)【要約】【課題】防排煙機器の点検を行う者の居場所に関わらず、防排煙機器の点検操作を行えるようにする。【解決手段】火災報知設備２の点検者が所持する携帯端末２０は、防排煙機器６２を試験するコマンドと、試験する防排煙機器６２を特定するアドレスを受け付ける画面を表示する。携帯端末２０は、コマンドとアドレスとを受け付けると、受け付けたコマンドとアドレスとをサーバ装置１０へ送信し、サーバ装置１０は、携帯端末２０から送られたコマンドとアドレスとを通信端末４０へ送信する。通信端末４０は、送信されたコマンドとアドレスとを受信機３０へ送る。受信機３０は、送られたアドレスで特定される防排煙機器６２を試験する。【選択図】図１
2014071660.tif 000002
【特許請求の範囲】
【請求項１】
火災報知設備の点検者によって所持される携帯端末と、
前記火災報知設備が有する防排煙機器に接続された制御装置と、
前記携帯端末及び前記制御装置と通信回線を介して通信を行う点検支援装置と、
を備える点検支援システムであって、
前記携帯端末は、
前記防排煙機器を試験するコマンドを受け付ける受付部と、
前記受付部が受け付けたコマンドを前記点検支援装置へ送信するコマンド送信部と
を有し、
前記点検支援装置は、
前記コマンド送信部から送信されたコマンドを受信し、受信したコマンドを前記制御装置へ送信するコマンド中継部を有し、
前記制御装置は、
前記コマンド中継部から送信されたコマンドを受信するコマンド受信部と、
前記コマンド受信部が受信したコマンドに基いて、前記防排煙機器を試験する試験部と
を有する点検支援システム。
【請求項２】
前記携帯端末は、情報を表示する表示部を有し、
前記防排煙機器は、当該防排煙機器が作動したことを示す作動信号を発生する作動信号発生部を有し、
前記制御装置は、
前記作動信号発生部において発生した作動信号を受信する作動信号受信部と、
前記作動信号受信部により受信された作動信号に基づいて、前記防排煙機器の作動情報を前記点検支援装置に送信する作動情報送信部と
を有し、
前記点検支援装置は、前記作動情報送信部により送信された作動情報に基づいて、前記防排煙機器の作動に関する情報を前記携帯端末の表示部に表示させる作動情報表示指示部と
を有する請求項１に記載の点検支援システム。
【請求項３】
前記防排煙機器は、当該防排煙機器が作動していない状態において前記作動信号発生部に作動信号を発生させる作動入力部を有する
請求項２に記載の点検支援システム。
【請求項４】
前記点検支援装置の前記作動情報表示指示部は、前記防排煙機器を作動させるための画面を前記携帯端末の表示部に表示させる
請求項３に記載の点検支援システム。
【請求項５】
前記点検支援装置の前記作動情報表示指示部は、前記防排煙機器の状態を復帰させるための画面を前記携帯端末の表示部に表示させる
請求項２に記載の点検支援システム。
【発明の詳細な説明】
【技術分野】
【０００１】
本発明は、火災報知設備の点検を支援する技術に関する。
【背景技術】
【０００２】
特許文献１に記載の防災システムは、建物内に設置され火災の発生を検出する複数の感知器と、建物内に設置された防火戸およびダンパと、防火戸やダンパを制御する中継器と、感知器と中継器とが接続される受信機とにより構成される。この防災システムでは、受信機が、点検操作に応じて、対応する防火戸やダンパを制御する中継器に、防火戸やダンパを作動させる信号を伝送する。
【先行技術文献】
【特許文献】
【０００３】
【特許文献１】特開２０００−４８２７４号公報
【発明の概要】
【発明が解決しようとする課題】
【０００４】
しかし、特許文献１に記載の発明では、防火戸やダンパ等の防排煙機器の点検を行う者は、受信機にて点検操作を行う必要があり、点検操作を行える場所が制限されていた。
【０００５】
本発明は、このような事情に鑑みてなされたものであり、防排煙機器の点検を行う者の居場所に関わらず、防排煙機器の点検操作を行えるようにすることを目的とする。
【課題を解決するための手段】
【０００６】
上記の課題を解決するため、本発明は、火災報知設備の点検者によって所持される携帯端末と、前記火災報知設備が有する防排煙機器に接続された制御装置と、前記携帯端末及び前記制御装置と通信回線を介して通信を行う点検支援装置と、を備える点検支援システムであって、前記携帯端末は、前記防排煙機器を試験するコマンドを受け付ける受付部と、前記受付部が受け付けたコマンドを前記点検支援装置へ送信するコマンド送信部とを有し、前記点検支援装置は、前記コマンド送信部から送信されたコマンドを受信し、受信したコマンドを前記制御装置へ送信するコマンド中継部を有し、前記制御装置は、前記コマンド中継部から送信されたコマンドを受信するコマンド受信部と、前記コマンド受信部が受信したコマンドに基いて、前記防排煙機器を試験する試験部とを有する点検支援システムを提供する。
【０００７】
好ましい態様において、前記携帯端末は、情報を表示する表示部を有し、前記防排煙機器は、当該防排煙機器が作動したことを示す作動信号を発生する作動信号発生部を有し、前記制御装置は、前記作動信号発生部において発生した作動信号を受信する作動信号受信部と、前記作動信号受信部により受信された作動信号に基づいて、前記防排煙機器の作動情報を前記点検支援装置に送信する作動情報送信部とを有し、前記点検支援装置は、前記作動情報送信部により送信された作動情報に基づいて、前記防排煙機器の作動に関する情報を前記携帯端末の表示部に表示させる作動情報表示指示部とを有してもよい。
【０００８】
さらに好ましい態様において、前記防排煙機器は、当該防排煙機器が作動していない状態において前記作動信号発生部に作動信号を発生させる作動入力部を有してもよい。
【０００９】
さらに好ましい態様において、前記点検支援装置の前記作動情報表示指示部は、前記防排煙機器を作動させるための画面を前記携帯端末の表示部に表示させてもよい。
【００１０】
また別のさらに好ましい態様において、前記点検支援装置の前記作動情報表示指示部は、前記防排煙機器の状態を復帰させるための画面を前記携帯端末の表示部に表示させてもよい。
【発明の効果】
【００１１】
本発明によれば、防排煙機器の点検を行う者の居場所に関わらず、防排煙機器の点検操作を行うことができる。
【図面の簡単な説明】
【００１２】
【図１】本発明の一実施形態に係る点検支援システムの全体構成を示した図。
【図２】本発明の実施形態に係る点検支援システムの一例を示す機能図。
【図３】点検予定テーブルの一例を示した図。
【図４】設置データテーブルの一例を示した図。
【図５】実施形態の動作例を説明するためのシーケンス図。
【図６】実施形態の動作例を説明するためのシーケンス図。
【図７】携帯端末２０に表示される画面の一例を示した図。
【図８】携帯端末２０に表示される画面の一例を示した図。
【図９】携帯端末２０に表示される画面の一例を示した図。
【図１０】携帯端末２０に表示される画面の一例を示した図。
【図１１】携帯端末２０に表示される画面の一例を示した図。
【図１２】変形例の動作例を説明するためのシーケンス図。
【発明を実施するための形態】
【００１３】
［実施形態］
［点検支援システム１の構成］
図１は、本発明の実施形態に係る点検支援システム１の全体構成を示したシステム図である。通信回線１０００は、インターネットや電話網、移動体通信網などの通信回線である。点検支援システム１は、火災報知設備２の点検を行う者（以下、「点検者」と称する）が行う点検作業を支援するシステムであり、受信機３０、サーバ装置１０、携帯端末２０、通信端末４０で構成されている。点検者は、携帯端末２０を所持して火災報知設備２の点検を行う。点検者が火災報知設備２の点検を行う場合、受信機３０に接続された通信端末４０、サーバ装置１０及び携帯端末２０が通信回線１０００を介して通信を行うことにより、点検者は、点検作業の支援を受けることができる。
【００１４】
火災報知設備２は、建築物などの施設の内部に設置されている設備である。本実施形態に係る火災報知設備２は、Ｒ型（Record type）の受信機３０、火災感知器５０−１、５０−２、・・・、５０−ｎ（以下、それぞれを区別しない場合には火災感知器５０という）、発信機５１を有する。火災感知器５０及び発信機５１は、受信機３０に接続されている。
【００１５】
火災感知器５０には、周囲の温度を検知する熱感知器や、煙を感知する煙感知器などがあり、それぞれに固有のアドレスが割り当てられている。例えば、周囲の温度を検知する火災感知器５０は、検知した温度を示す情報と、自身に割り当てられているアドレスとを受信機３０へ送信し、煙を感知する火災感知器５０は、感知した煙の状態を示す情報と、自身に割り当てられているアドレスとを受信機３０へ送信する。発信機５１は、火災の発見者により操作されるボタンを有しており、発信機５１にも固有のアドレスが割り当てられている。発信機５１は、ボタンが操作されると、ボタンが操作されたことを示す情報と、自身に割り当てられているアドレスとを受信機３０へ送信する。
【００１６】
また、火災報知設備２は、受信機３０に接続されている中継器６５−１〜６５−４（以下、それぞれを区別しない場合には中継器６５という）にも、それぞれ固有のアドレスが割り当てられている。
中継器６５−１には地区音響装置６１が接続され、中継器６５−２には防火戸６２Ａが接続されている。また、中継器６５−３にはシャッター６２Ｂが接続され、中継器６５−４には排煙機６２Ｃが接続されている。なお、防火戸６２Ａ、シャッター６２Ｂ及び排煙機６２Ｃを、以下では総称して、防排煙機器６２という。
【００１７】
中継器６５−１は、受信機３０から送られる制御信号を受信し、受信した制御信号に基いて地区音響装置６１を制御する。中継器６５−２は、受信機３０から送られる制御信号を受信し、受信した制御信号に基いて防火戸６２Ａを制御する。中継器６５−３は、受信機３０から送られる制御信号を受信し、受信した制御信号に基いてシャッター６２Ｂを制御する。中継器６５−４は、受信機３０から送られる制御信号を受信し、受信した制御信号に基いて排煙機６２Ｃを制御する。なお、中継器６５に接続される装置の数は、図１に示した数に限定されるものではなく、図１に示した数より多い数や少ない数であってもよい。
【００１８】
受信機３０は、火災感知器５０や発信機５１から送信される情報に基いて火災の発生を検知し、火災の発生場所を特定する。受信機３０は、火災の発生を検知し、火災の発生場所を特定すると、火災の発生を知らせるメッセージや、火災が発生した場所の表示、火災が発生した場所にある火災感知器５０や発信機５１のアドレスの表示などを行う。
また、受信機３０は、通信端末４０と接続されることにより、通信回線１０００を介して火災等の火災報知設備２の情報を外部に出力（送信）したり、外部から送信されたコマンドに応じて防排煙機器６２の試験を行ったりする制御装置７０として機能する。
なお、本実施形態においては、受信機３０と通信端末４０とで制御装置７０として機能するが、制御装置７０は、受信機３０及び通信端末４０の機能を有した一つの装置として実現されてもよい。
また、火災報知設備２は、図１においては１つのみ記載されているが、複数の施設に設置されている。このため、通信回線１０００を介してサーバ装置１０と通信が可能な制御装置７０は、施設の数に応じて複数存在する場合がある。各施設にはそれぞれ固有の「物件番号」が割り当てられている。
【００１９】
［携帯端末２０の構成］
携帯端末２０は、パーソナルコンピュータ、ＰＤＡ（Personal Digital Assistant）、携帯電話、スマートフォン又はタブレット端末など、通信回線１０００に接続して通信を行うことが可能な装置である。携帯端末２０は、ＣＰＵ（Central Processing Unit）、ＲＯＭ（Read Only Memory）、ＲＡＭ（Random Access Memory）、不揮発性メモリ、操作手段及び画像の表示手段として機能するタッチスクリーン、通信インターフェースなどを有している。携帯端末２０の不揮発性メモリは、点検者が所持する携帯端末２０に割り当てられた端末ＩＤを記憶している。携帯端末２０においては、ＣＰＵは、ＲＯＭや不揮発性メモリに記憶されたプログラムを実行し、携帯端末２０の各部を制御する。
【００２０】
携帯端末２０のＣＰＵがプログラムを実行すると、通信回線１０００を介してサーバ装置１０と通信を行う機能や、サーバ装置１０から取得したウェブページを表示する機能などが実現する。図２には、携帯端末２０の一例である機能ブロック図が示されている。携帯端末２０は、図２に示したように、受付部２０１、コマンド送信部２０２及び情報受信部２０３を有する。
【００２１】
受付部２０１は、受信機３０を制御するためのユーザインターフェースや火災報知設備２が有する装置の試験結果をタッチスクリーンに表示し、火災報知設備２が有する装置の試験を行うためのコマンドを点検者から受け付けるブロックである。コマンド送信部２０２は、受付部２０１が受け付けたコマンドをサーバ装置１０へ送信するブロックである。情報受信部２０３は、サーバ装置１０から送信された情報を受信するブロックである。
【００２２】
［サーバ装置１０の構成］
サーバ装置１０は、ＣＰＵ、ＲＯＭ、ＲＡＭ、ディスプレイ装置、不揮発性メモリ、キーボードやマウスなどの操作手段及び通信回線１０００を介した通信を行う通信インターフェースを備えたコンピュータ装置である。
【００２３】
サーバ装置１０の不揮発性メモリは、図３に示した点検予定テーブルを記憶している。点検予定テーブルは、「端末ＩＤ」、「物件番号」、「点検対象装置」、「点検期間」のフィールドを有する。「端末ＩＤ」のフィールドには、点検者が所持する携帯端末２０に割り当てられた端末ＩＤが格納される。「物件番号」のフィールドには、点検の対象となる火災報知設備２が設置されている施設の物件番号が格納される。「点検対象装置」のフィールドには、火災報知設備２において点検の対象となる装置に割り当てられているアドレスが格納される。例えば、アドレスが１の装置からアドレスが８５の装置までを点検する場合、図３に示したように、個々の装置のアドレスではなく、アドレスの範囲が格納される。「点検期間」のフィールドには、点検者が点検を行う日時と時間帯を示す情報が格納される。
【００２４】
サーバ装置１０においては、ＣＰＵは、ＲＯＭや不揮発性メモリに記憶されたプログラムを実行し、サーバ装置１０の各部を制御する。サーバ装置１０のＣＰＵがプログラムを実行すると、携帯端末２０から送信されたコマンドを通信端末４０へ送信する機能や、火災報知設備２の状態等を携帯端末２０に表示させるページを生成し、生成したページを携帯端末２０へ送信する機能などが実現する。これらの機能が実現することにより、サーバ装置１０は、火災報知設備２の点検を支援する点検支援装置として機能する。
図２には、サーバ装置１０の一例である機能ブロック図が示されている。サーバ装置１０は、図２に示したように、作動情報表示指示部１０１と、コマンド中継部１０２と、情報生成部１０３とを有する。
【００２５】
作動情報表示指示部１０１は、通信端末４０から送信された防排煙機器６２が動作したことを示す作動情報に基づいて、携帯端末２０に表示させるページを生成し、携帯端末２０に送信するブロックである。コマンド中継部１０２は、携帯端末２０から送信されたコマンドを通信端末４０へ転送するブロックである。情報生成部１０３は、携帯端末２０からの要求に応じて携帯端末２０に表示させるページのデータを生成し、生成したデータを携帯端末２０へ送信するブロックである。
【００２６】
［通信端末４０の構成］
通信端末４０は、パーソナルコンピュータ、ＰＤＡ（Personal Digital Assistant）、携帯電話、スマートフォン又はタブレット端末など、通信回線１０００に接続して通信を行うことが可能な装置である。通信端末４０は、ＣＰＵ、ＲＯＭ、ＲＡＭ、不揮発性メモリ、操作手段及び表示手段として機能するタッチスクリーン、通信回線１０００を介した通信を行う通信インターフェース、受信機３０と通信を行うインターフェースなどを有する。通信端末４０の不揮発性メモリは、点検者が点検する施設に割り当てられている物件番号を記憶する。通信端末４０においては、ＣＰＵは、ＲＯＭや不揮発性メモリに記憶されたプログラムを実行し、通信端末４０の各部を制御する。
【００２７】
通信端末４０のＣＰＵがプログラムを実行すると、通信回線１０００を介した通信を行う機能や受信機３０と通信を行う機能などが実現する。図２には、通信端末４０の一例である機能ブロック図が示されている。通信端末４０は、図２に示したように、作動情報送信部４０１と、コマンド受信部４０２とを有する。
【００２８】
作動情報送信部４０１は、受信機３０から出力された作動情報を通信回線１０００を介してサーバ装置１０へ送信するブロックである。コマンド受信部４０２は、携帯端末２０から送信されてサーバ装置１０で中継されたコマンドを受信するブロックである。
【００２９】
［受信機３０の構成］
受信機３０は、ＣＰＵ、ＲＯＭ、ＲＡＭ、不揮発性メモリ、操作手段及び表示手段として機能するタッチスクリーン、通信端末４０と通信を行う通信インターフェース、火災感知器５０や中継器６５が接続されるインターフェースなどを有する。
【００３０】
また、受信機３０の不揮発性メモリは、図４に示した設置データテーブルを記憶している。設置データテーブルは、「アドレス」、「種別」、「メッセージ」及び「連動アドレス」のフィールドを有する。
「アドレス」のフィールドには、火災感知器５０のアドレスや発信機５１のアドレス、中継器６５のアドレスなど、火災報知設備２に係る装置の各々に割り当てられているアドレスが格納される。
「種別」のフィールドには、同じレコードに格納されているアドレスで特定される装置の種別を示す情報が格納される。例えば、アドレスが「１」である火災感知器５０が、周囲の温度を検知する熱感知器である場合、図４に示したようにアドレスの「１」に対応付けて「熱感知器」という情報が格納される。また、アドレスが「３５」である装置が、地区音響装置６１を制御する中継器６５−１である場合、アドレスの「３５」に対応付けて「地区音響装置」という情報が格納される。
【００３１】
「メッセージ」のフィールドには、同じレコードに格納されているアドレスで特定される装置の設置場所を示す情報が格納される。例えば、アドレスが「１」である火災感知器５０が、施設の１階の第１会議室に配置されている場合、図４に示したようにアドレスの「１」に対応付けて、「１階第１会議室」という情報が格納される。
「連動アドレス」のフィールドには、中継器６５に接続されている装置を、どの装置に連動して動作させるかを規定する情報が格納される。例えば、アドレス「１」が割り当てられた火災感知器５０−１からの信号で火災の発生を検知したときに防火戸６２Ａを閉める場合、図４に示したように防火戸６２Ａが接続されている中継器のアドレスの「３７」に対応付けて、火災感知器５０−１のアドレスである「１」という情報が格納される。なお、例えば、防火戸６２Ａが、アドレスが１から１５の範囲の火災感知器５０や発信機５１に連動して動作する場合、連動アドレスのフィールドには、「１−１５」というように、防火戸６２Ａを動作させる火災感知器５０や発信機５１のアドレスの範囲を格納してもよい。
【００３２】
受信機３０においては、ＣＰＵは、ＲＯＭや不揮発性メモリに記憶されたプログラムを実行し、受信機３０の各部を制御する。図２には、受信機３０の一例である機能ブロック図が示されている。受信機３０は、作動情報出力部３０１と、試験部３０２と、作動信号受信部３０３とを有する。
【００３３】
作動情報出力部３０１は、中継器６５から送信された防排煙機器６２が動作したことを示す作動信号に基づいて、試験対象となった装置の作動情報を通信端末４０に出力するブロックである。試験部３０２は、コマンド受信部４０２が受信したコマンドを取得し、取得したコマンドに基いて、火災報知設備２が有する装置の試験を行うブロックである。具体的には、試験部３０２は、取得したコマンドに基いて、試験として試験対象となる装置に接続される中継器６５に接続されている防排煙機器６２を動作させる制御信号を送信する。作動信号受信部３０３は、中継器６５から送信された作動信号を受信するブロックである。
【００３４】
なお、試験部３０２は、受信機３０が有するタッチスクリーンにおいて、火災報知設備２が有する装置の試験を指示する操作が行われた場合にも、行われた操作に基いて試験を行う。なお、受信機３０が、通信回線１０００を介した通信を行う機能を備える場合、作動情報送信部４０１とコマンド受信部４０２とを、受信機３０が有することとなる。
【００３５】
［中継器６５の構成］
中継器６５は、ＣＰＵ、ＲＯＭ、ＲＡＭ、不揮発性メモリ、受信機３０が接続されるインターフェースなどを有する。中継器６５においては、ＣＰＵは、ＲＯＭや不揮発性メモリに記憶されたプログラムを実行し、中継器６５の各部を制御する。図２には、中継器６５の一例である機能ブロック図が示されている。中継器６５は、作動制御部６５１と、作動信号監視部６５２と、作動信号送信部６５３とを有する。
【００３６】
作動制御部６５１は、受信機３０から送信される制御信号に基づいて、試験対象となる装置の作動を制御するブロックである。作動信号監視部６５２は、試験対象となる装置から送信される作動信号を監視、受信するブロックである。作動信号送信部６５３は、作動信号を受信機３０に送信するブロックである。
【００３７】
［防排煙機器６２の構成］
防排煙機器６２は、当該機器を作動させるための駆動部と、作動信号を中継器６５に出力するための回路構成とを有する。図２には、防排煙機器６２の一例である機能ブロック図が示されている。防排煙機器６２は、作動信号発生部６２１と、作動入力部６２２とを有する。
【００３８】
作動信号発生部６２１は、防排煙機器６２が作動したことを示す作動信号を発生するブロックである。例えば、シャッター６２Ｂの場合であれば、シャッター６２Ｂの下限に設置されたリミットスイッチに触れることによる電圧変化により中継器６５にシャッター６２Ｂが作動したことを伝える。作動入力部６２２は、防排煙機器６２が作動していない状態において、作動信号発生部６２１に作動信号を発生させるブロックである。例えば、シャッター６２Ｂの場合であれば、シャッター６２Ｂが作動していない状態において、上記のリミットスイッチをオン状態とすることにより、擬似的にシャッター６２Ｂが作動した状態を作り出す。リミットスイッチをオン状態とする操作は、例えば、シャッター６２Ｂ近傍に設けられたスイッチを用いて行われる。
【００３９】
なお、ここで、防排煙機器６２の「作動」とは、防火戸６２Ａやシャッター６２Ｂの場合であれば、これらを閉鎖するように駆動部が動作したことを意味する。また、排煙機６２Ｃの場合であれば、排煙機６２Ｃの排煙ファンを回転させるために駆動部が動作したことを意味する。
【００４０】
［実施形態の動作例］
次に、点検支援システム１の動作例について説明する。まず、携帯端末２０を所持している点検者は、火災報知設備２の点検作業を開始する場合、携帯端末２０を操作してウェブブラウザを起動する（図５：ステップＳａ１）。点検者は、ウェブブラウザが起動した携帯端末２０を操作してサーバ装置１０へアクセスする。
携帯端末２０がサーバ装置１０へアクセスすると（ステップＳａ２）、サーバ装置１０は、携帯端末２０に対して端末ＩＤを要求するメッセージを送信する（ステップＳａ３）。携帯端末２０は、このメッセージを受信すると、不揮発性メモリに記憶されている端末ＩＤを、この要求に応じてサーバ装置１０へ送信する（ステップＳａ４）。
【００４１】
サーバ装置１０は、携帯端末２０から送信された端末ＩＤを受信すると、受信した端末ＩＤが格納されているレコードを、点検予定テーブルにおいて検索する。例えば、サーバ装置１０は、受信した端末ＩＤが「５７８」である場合、端末ＩＤのフィールドに「５７８」が格納されているレコードを点検予定テーブルにおいて検索する。ここで、図３に示した点検予定テーブルの場合、端末ＩＤ「５７８」が格納されている１行目のレコードが検索される。
【００４２】
次にサーバ装置１０は、検索されたレコードに格納されている点検期間を抽出し、この時点の日時が抽出した点検期間内であるか判断する。サーバ装置１０は、この時点の日時が抽出した点検期間内である場合、検索されたレコードに格納されている物件番号を抽出する。サーバ装置１０は、設置データテーブルを要求するメッセージを、抽出した物件番号を記憶した通信端末４０を宛先として送信する（ステップＳａ５）。
【００４３】
このメッセージは、通信端末４０で受信され、受信機３０へ送られる（ステップＳａ６）。受信機３０は、このメッセージを受信すると、不揮発性メモリに記憶している設置データテーブルを通信端末４０へ出力する（ステップＳａ７）。通信端末４０は、受信機３０から出力された設置データテーブルをサーバ装置１０へ送信する（ステップＳａ８）。
【００４４】
サーバ装置１０は、通信端末４０から送信された設置データテーブルを物件番号に関連付けて記憶する。また、サーバ装置１０は、ウェブページのデータを携帯端末２０へ送信する（ステップＳａ９）。このデータを受信した携帯端末２０においては、図７に例示したウェブページが表示される（ステップＳａ１０）。図７に示した例においては、ウェブページ内にメインメニューが表示され複数のボタンが配置されている。ここで、点検者が「手動制御」のボタンの位置に触れると、携帯端末２０がサーバ装置１０と通信を行い（ステップＳａ１１、Ｓａ１２）、図８に例示した手動制御メニューを有するウェブページのデータが携帯端末２０へ送信され、当該ウェブページが表示される（ステップＳａ１３）。
【００４５】
図８に例示した画面が表示されている状態において、点検者が数字ボタンの位置に触れると（ステップＳａ１４）、触れた位置にあるボタンに対応した数字が、アドレスの表示領域に表示される（ステップＳａ１５）。例えば、点検者が「３７」のボタンの位置に触れると、図９に例示したように、アドレスの表示領域に「３７」が表示される。携帯端末２０は、アドレスの表示領域に数字を表示すると、表示した数字、即ちアドレスを端末ＩＤとともにサーバ装置１０へ送信する（ステップＳａ１６）。
【００４６】
サーバ装置１０は、携帯端末２０から送信されたアドレスと端末ＩＤを受信すると、受信した端末ＩＤが格納されているレコードを点検予定テーブルにおいて検索し、受信したアドレスおよび受信した時間が、検索されたレコードに格納されている点検対象装置および点検器間内であるかを判断する。範囲内でない場合には、サーバ装置１０は、点検範囲内でないことを知らせるウェッブページのデータを携帯端末２０へ送信する。範囲内である場合には、サーバ装置１０は、端末ＩＤに基き物件番号を割り出し、受信したアドレスが格納されているレコードを、記憶した該当する物件番号の設置データテーブルにおいて検索する。例えば、サーバ装置１０は、受信したアドレスが「３７」である場合、アドレスのフィールドに「３７」が格納されているレコードを設置データテーブルにおいて検索する。ここで、図４に示した設置データテーブルの場合、アドレス「３７」が格納されているレコードが検索される。サーバ装置１０は、検索されたレコードの「種別」のフィールドと「メッセージ」のフィールドに格納されている情報を抽出し（ステップＳａ１７）、抽出した情報を表示するウェブページのデータを携帯端末２０へ送信する（ステップＳａ１８）。例えば、図４の設置データテーブルの、アドレス「３７」が格納されているレコードが検索された場合、種別の情報として「防火戸」が表示され、「メッセージ」の情報として「１階西階段」が表示されるウェブページのデータが送信される。携帯端末２０は、サーバ装置１０から送信されたデータを受信すると、図１０に例示したウェブページを表示する。
なお、当該ウェブページでは、表示されている装置に対する作動試験の指示がまだ携帯端末２０により行われていないため、「復帰」ボタンが非アクティブとなり、グレー表示される。
【００４７】
次に、点検者は、表示されている装置の試験を行う場合、画面に表示されている「作動」ボタンの位置に触れる（ステップＳａ１９）。点検者が「作動」ボタンの位置に触れると、表示されているアドレスの装置の試験の実行を指示するコマンドが入力されたことになり、入力されたコマンドを受付部２０１が受け付ける。受付部２０１が受け付けたコマンドは、表示されているアドレス及び記憶している端末ＩＤと共にコマンド送信部２０２へ送られる。コマンド送信部２０２は、送られたコマンド、アドレス及び端末ＩＤをサーバ装置１０へ送信する。例えば、表示されているアドレスが「３７」の場合、試験の実行を指示するコマンドと、アドレスの「３７」がサーバ装置１０へ送信される（ステップＳａ２０）。なお、図８〜１０に例示した画面が表示されている状態において、点検者が「終了」のボタンの位置に触れると、携帯端末２０で表示される画面は、図７の画面に戻り、メニュー部分の表示がメインメニューに遷移する。
【００４８】
サーバ装置１０は、携帯端末２０から送信されたコマンド、アドレス及び端末ＩＤを受信し、受信したコマンドとアドレスの送信先を特定する（ステップＳａ２１）。なお、送信先を特定する動作は、ステップＳａ４で端末ＩＤを受信したときと同様であるため、その説明を省略する。コマンド中継部１０２は、携帯端末２０から送信されたコマンドとアドレスとを、送信先として特定した通信端末４０へ送信する（ステップＳａ２２）。サーバ装置１０から送信されたコマンド及びアドレスは、通信端末４０により受信される。通信端末４０のコマンド受信部４０２は、受信したコマンド及びアドレスを受信機３０へ出力する（図６：ステップＳａ２３）。
【００４９】
この出力されたコマンド及びアドレスは、試験部３０２が取得する。試験部３０２は、取得したコマンド及びアドレスに応じて、火災報知設備２が有する装置を試験する（ステップＳａ２４）。例えば、試験部３０２は、取得したアドレスが「３７」である場合、防火戸６２Ａが接続されている中継器６５に対して試験の実行を指示する制御信号を送信する。
【００５０】
制御信号を受信した中継器６５の作動制御部６５１は、受信機３０から送信された制御信号に基づいて、試験対象となる防火戸６２Ａの作動を制御する（ステップＳａ２５）。具体的には、作動制御部６５１は、防火戸６２Ａを閉鎖するように防火戸６２Ａの駆動部を制御する。中継器６５によって作動を制御された防火戸６２Ａの作動信号発生部６２１は、防火戸６２Ａが作動すると、防火戸６２Ａが作動したことを示す作動信号を発生する。中継器６５の作動信号監視部６５２は、防火戸６２Ａから送信される作動信号を監視し、防火戸６２Ａにおいて作動信号が発生すると、当該信号を受信する（ステップＳａ２６）。中継器６５の作動信号送信部６５３は、防火戸６２Ａにおいて発生した作動信号を、防火戸６２Ａが接続されている中継器６５（自己）のアドレスとともに受信機３０に送信する（ステップＳａ２７）。
【００５１】
受信機３０の作動信号受信部３０３は、中継器６５から送信された作動信号とアドレスとを受信する。受信機３０は、設置データテーブルにおいて受信したアドレスが格納されているレコードの「メッセージ」のフィールドに格納されているメッセージと、「種別」のフィールドに格納されている装置種別を抽出する。次に作動情報出力部３０１は、試験対象となった装置が作動したことを示す作動情報、当該装置のアドレス、抽出した装置種別及び抽出したメッセージを通信端末４０へ出力する（ステップＳａ２８）。
【００５２】
通信端末４０へ出力された作動情報、アドレス、メッセージ及び装置種別は、作動情報送信部４０１が受信する。作動情報送信部４０１は、受信した作動情報、アドレス、メッセージ、装置種別及び記憶している物件番号をサーバ装置１０へ送信する（ステップＳａ２９）。
サーバ装置１０の作動情報表示指示部１０１は、通信端末４０から送信された作動情報、アドレス、メッセージ、装置種別及び物件番号を受信する。作動情報表示指示部１０１が、作動情報、アドレス、装置種別及び物件番号を受信すると、サーバ装置１０は、ウェブページのデータの送信先を特定する（ステップＳａ３０）。具体的には、サーバ装置１０は、受信した物件番号が格納されているレコードを点検予定テーブルにおいて検索する。例えば、サーバ装置１０は、受信した物件番号が「０１１」である場合、物件番号のフィールドにおいて「０１１」が格納されているレコードを点検予定テーブルにおいて検索する。ここで、図３に示した点検予定テーブルの場合、物件番号「０１１」が格納されている１行目のレコードが検索される。
【００５３】
次にサーバ装置１０は、検索されたレコードに格納されている点検期間を抽出し、この時点の日時が抽出した点検期間内であるか判断する。サーバ装置１０は、この時点の日時が抽出した点検期間内である場合、検索されたレコードの「点検対象装置」のフィールドに受信したアドレスが格納されているか判断する。例えば、受信したアドレスが「３７」である場合、検索されたレコードの点検対象装置のフィールドには、「１−５５」というように、１から５５までのアドレスを示す情報が格納されているため、受信したアドレスが格納されていることになる。
【００５４】
情報生成部１０３は、受信したアドレスが検索されたレコードに格納されている場合、検索されたレコードに格納されている端末ＩＤを抽出し、抽出した端末ＩＤで特定される携帯端末２０に表示させるウェブページのデータを生成する（ステップＳａ３１）。
具体的には、情報生成部１０３は、図１１に例示したように、試験対象となった装置が作動したことを知らせるメッセージ（作動中）、受信した装置種別（防火戸）、受信したアドレス（３７）、受信したメッセージ（一階西階段）及び図７に例示した手動制御メニューを有するウェブページを表すデータを生成する。この生成されたデータは、作動情報表示指示部１０１により、上記の抽出された端末ＩＤで特定される携帯端末２０へ送信される（ステップＳａ３２）。
【００５５】
携帯端末２０の情報受信部２０３は、サーバ装置１０から送信されたデータを受信する。情報受信部２０３がデータを受信すると、携帯端末２０は、受信したデータが表すウェブページをタッチスクリーンに表示する（ステップＳａ３３）。これにより、図１１に例示したウェブページが携帯端末２０において表示される。なお、当該ウェブページでは、表示されている装置に対する作動試験の指示がすでに携帯端末２０により行われているため、「作動」ボタンが非アクティブとなり、グレー表示される。一方、「復帰」ボタンは、アクティブとなっている。
【００５６】
図１１に例示した画面が表示されている状態において、点検者が「復帰」ボタンの位置に触れると（ステップＳａ３４）、表示されているアドレスの装置の復帰を指示するコマンドが入力されたことになり、入力されたコマンドを受付部２０１が受け付ける。受付部２０１が受け付けたコマンドは、表示されているアドレス及び記憶している端末ＩＤと共にコマンド送信部２０２へ送られる。コマンド送信部２０２は、送られたコマンド、アドレス及び端末ＩＤをサーバ装置１０へ送信する（ステップＳａ３５）。
【００５７】
サーバ装置１０は、携帯端末２０から送信されたコマンド、アドレス及び端末ＩＤを受信し、受信したコマンドとアドレスの送信先を特定する（ステップＳａ３６）。なお、送信先を特定する動作は、ステップＳａ４で端末ＩＤを受信したときと同様であるため、その説明を省略する。コマンド中継部１０２は、携帯端末２０から送信されたコマンドとアドレスとを、送信先として特定した通信端末４０へ送信する（ステップＳａ３７）。サーバ装置１０から送信されたコマンド及びアドレスは、通信端末４０により受信される。通信端末４０のコマンド受信部４０２は、受信したコマンド及びアドレスを受信機３０へ出力する（ステップＳａ３８）。
【００５８】
受信機３０は、出力されたコマンド及びアドレスに応じて、防排煙機器６２の復帰を行う（ステップＳａ３９）。例えば、試験部３０２は、取得したアドレスが「３７」である場合、防火戸６２Ａに接続される中継器６５に対して防火戸６２Ａの復帰を指示する制御信号を送信する。制御信号を受信した中継器６５は、受信機３０から送信された制御信号に基づいて、制御対象となる防火戸６２Ａの復帰を行う（ステップＳａ４０）。具体的には、中継器６５は、防火戸６２Ａを開放するように防火戸６２Ａの駆動部を制御する。なお、制御対象がシャッター６２Ｂであった場合には、中継器６５は、シャッター６２Ｂを開くようにシャッター６２Ｂの駆動部を制御する。
【００５９】
なお、上述した実施形態において、試験の実行を指示するコマンドの送信先となった防排煙機器６２において所定の時間内に作動信号が発生しなかった場合には、異常の発生を示す情報が中継器６５から受信機３０へ送信され、この情報は、通信端末４０を介してサーバ装置１０へ送信される。サーバ装置１０は、この情報を受信すると、携帯端末２０から送信されたアドレスの防排煙機器６２に異常があることを示すウェブページを携帯端末２０へ送信し、携帯端末２０は、送信されたウェブページを表示する。
【００６０】
以上説明したように、本実施形態によれば、点検者が受信機３０を操作しなくても、携帯端末２０を操作することにより、防排煙機器６２の作動試験を行うことができる。
また、本実施形態においては、試験を行った防排煙機器６２は、作動し、携帯端末２０は、図１１に例示したように、試験を行った防排煙機器６２のアドレスや設置場所、種別などを表示する。作動している装置がある場所と、携帯端末２０に表示された設置場所との一致を点検者が確認すれば、設置データテーブルにおけるアドレスと設置場所（メッセージ）との対応付けが正しいか確認することができる。
【００６１】
なお、携帯端末２０に表示された設置場所に点検者がいるにも関わらず、表示された設置場所にある防排煙機器６２が作動していない場合、指定されたアドレスの防排煙機器６２は他の場所にあることになり、アドレスと設置場所（メッセージ）との対応付けが誤っていることになる。この場合、防排煙機器６２に設定されているアドレス又は設置データテーブルの内容を設定し直せばよい。
【００６２】
［変形例］
以上、本発明の実施形態について説明したが、本発明は上述した実施形態に限定されることなく、他の様々な形態で実施可能である。例えば、上述の実施形態を以下のように変形して本発明を実施してもよい。なお、上述した実施形態及び以下の変形例は、各々を組み合わせてもよい。
【００６３】
上記の実施形態に係る動作例では、携帯端末２０に対する操作を契機として、図９に例示されるような作動試験を指示するための画面が携帯端末２０に表示されるが、防排煙機器６２に対する操作を契機として、当該画面を携帯端末２０に表示させるようにしてもよい。図１２は、本変形例に係る動作例を説明するためのシーケンス図である。
【００６４】
点検者が防排煙機器６２に対して所定の操作を行うと、防排煙機器６２の作動入力部６２２は、防排煙機器６２が作動していない状態において、作動信号発生部６２１に作動信号を発生させる（ステップＳｂ１）。中継器６５の作動信号監視部６５２は、防排煙機器６２から送信される作動信号を監視し、防排煙機器６２において作動信号が発生すると、当該信号を受信する（ステップＳｂ２）。中継器６５の作動信号送信部６５３は、防排煙機器６２において発生した作動信号を、防排煙機器６２のアドレスとともに受信機３０に送信する（ステップＳｂ３）。
【００６５】
受信機３０の作動信号受信部３０３は、中継器６５から送信された作動信号とアドレスとを受信する。受信機３０は、設置データテーブルにおいて受信したアドレスが格納されているレコードの「メッセージ」のフィールドに格納されているメッセージと、「種別」のフィールドに格納されている装置種別を抽出する。次に作動情報出力部３０１は、防排煙機器６２が作動したことを示す作動情報、当該装置のアドレス、抽出した装置種別及び抽出したメッセージを通信端末４０へ出力する（ステップＳｂ４）。
【００６６】
通信端末４０へ出力された作動情報、アドレス、メッセージ及び装置種別は、作動情報送信部４０１が受信する。作動情報送信部４０１は、受信した作動情報、アドレス、メッセージ、装置種別及び記憶している物件番号をサーバ装置１０へ送信する（ステップＳｂ５）。
サーバ装置１０の作動情報表示指示部１０１は、通信端末４０から送信された作動情報、アドレス、メッセージ、装置種別及び物件番号を受信する。作動情報表示指示部１０１が、作動情報、アドレス、装置種別及び物件番号を受信すると、サーバ装置１０は、ウェブページのデータの送信先を特定する（ステップＳｂ６）。具体的には、サーバ装置１０は、受信した物件番号が格納されているレコードを点検予定テーブルにおいて検索する。
【００６７】
次にサーバ装置１０は、検索されたレコードに格納されている点検期間を抽出し、この時点の日時が抽出した点検期間内であるか判断する。サーバ装置１０は、この時点の日時が抽出した点検期間内である場合、検索されたレコードの「点検対象装置」のフィールドに受信したアドレスが格納されているか判断する。
【００６８】
情報生成部１０３は、受信したアドレスが検索されたレコードに格納されている場合、検索されたレコードに格納されている端末ＩＤを抽出し、抽出した端末ＩＤで特定される携帯端末２０に表示させるウェブページのデータを生成する（ステップＳｂ７）。
具体的には、情報生成部１０３は、図１１に例示したように、防排煙機器６２が作動したことを知らせるメッセージ（作動中）、受信した装置種別（防火戸）、受信したアドレス（３７）、受信したメッセージ（一階西階段）及び図７に例示した手動制御メニューを有するウェブページを表すデータを生成する。この生成されたデータは、作動情報表示指示部１０１により、上記の抽出された端末ＩＤで特定される携帯端末２０へ送信される（ステップＳｂ８）。
【００６９】
携帯端末２０の情報受信部２０３は、サーバ装置１０から送信されたデータを受信する。情報受信部２０３がデータを受信すると、携帯端末２０は、受信したデータが表すウェブページをタッチスクリーンに表示する（ステップＳｂ９）。これにより、図１１に例示したウェブページが携帯端末２０において表示される。なお、当該ウェブページでは、表示されている装置に対する作動試験の指示が携帯端末２０によって行われていないため、「復帰」ボタンが非アクティブとなり、グレー表示される。一方、「作動」ボタンは、アクティブとなっている。
【００７０】
図１１に例示した画面が表示されている状態において、点検者が「作動」ボタンの位置に触れると、表示されているアドレスの装置の作動を指示するコマンドが入力されたことになり、入力されたコマンドを受付部２０１が受け付ける。受付部２０１が受け付けたコマンドは、表示されているアドレス及び記憶している端末ＩＤと共にコマンド送信部２０２へ送られる。コマンド送信部２０２は、送られたコマンド、アドレス及び端末ＩＤをサーバ装置１０へ送信する。これ以降の処理は、図５及び図６のステップＳａ２１〜Ｓａ４０の処理と共通するため、その説明を省略する。
【００７１】
本変形例によれば、点検者は、防排煙機器６２を作動させなくても、携帯端末２０に表示される作動情報を確認することにより、自身が操作した防排煙機器６２が、設置データテーブルにおいて、正しい設置場所（メッセージ）と対応づけられているか否かを確認することができる。また、点検者は、自身が操作した防排煙機器６２が、設置データテーブルにおいて、正しい設置場所（メッセージ）と対応づけられていることを確認してから作動試験を行うことができるため、誤って異なる場所の防排煙機器６２を作動させてしまうことを防ぐことができる。また、図１１に示されるように、試験対象が指定された状態で画面が表示されるため、点検者は「作動」ボタンを押すだけで、目的の防排煙機器６２の試験を行うことができる。
【００７２】
また、上述した実施形態において、受信機３０はＲ型となっているが、Ｒ型に限定されるものではなく、Ｐ型（Proprietary-type）の受信機であってもよい。
また、上述した実施形態においては、地区音響装置６１や防火戸６２Ａ、シャッター６２Ｂ、排煙機６２Ｃなどは中継器６５に接続され、中継器６５を介して受信機３０から制御されるが、中継器６５を介さずに受信機３０に接続し、受信機３０から各装置を直接制御するようにしてもよい。
【００７３】
上述した実施形態においては、設置データテーブルを受信機３０からサーバ装置１０へ送信してサーバ装置１０が記憶するようにしたが、設置データテーブルを事前にサーバ装置１０に記憶させるようにしてもよい。また、設置データテーブルをサーバ装置１０に記憶させず、携帯端末２０にアドレスを入力するたびに受信機３０にアドレスを送信して、受信機３０が設置データテーブルからアドレスに対応した「種別」や「メッセージ」をサーバ装置１０に送るようにしてもよい。
【００７４】
上述した実施形態において、点検支援システム１は、サーバ装置１０を含む構成となっているが、サーバ装置１０を備えない構成であってもよい。例えば、通信端末４０に点検予定テーブルを記憶させ、通信端末４０において、サーバ装置１０が有する機能が実現するようにしてもよい。この構成によれば、サーバ装置１０を中継せずに通信端末４０と携帯端末２０とが情報やコマンドをやり取りするため、送られた情報やコマンドが送信先に到達するまでの時間を短くすることができる。
【００７５】
上述した実施形態においては、防排煙機器６２を試験するコマンドを受け付けるユーザインターフェースや、受信機３０が出力した情報の表示をサーバ装置１０から送信されるウェブページで実現しているが、この構成に限定されるものではない。例えば、防排煙機器６２を試験するためのユーザインターフェースの表示や、受信機３０が出力した情報の表示を行うアプリケーションプログラムを携帯端末２０に記憶させ、この記憶したプログラムを実行することで、防排煙機器６２を試験するためのユーザインターフェースや、受信機３０が出力した情報の表示を実現するようにしてもよい。
【符号の説明】
【００７６】
１…点検支援システム、２…火災報知設備、１０…サーバ装置、２０…携帯端末、３０…受信機、４０…通信端末、５０…火災感知器、５１…発信機、６１…地区音響装置、６２…防排煙機器、６５…中継器、１０１…作動情報表示指示部、１０２…コマンド中継部、１０３…情報生成部、２０１…受付部、２０２…コマンド送信部、２０３…情報受信部、３０１…作動情報出力部、３０２…試験部、３０３…作動信号受信部、４０１…作動情報送信部、４０２…コマンド受信部、６２１…作動信号発生部、６２２…作動入力部、６２Ａ…防火戸、６２Ｂ…シャッター、６２Ｃ…排煙機、６５１…作動制御部、６５２…作動信号監視部、６５３…作動信号送信部、１０００…通信回線
【図１】
2014071660.tif 000003
【図２】
2014071660.tif 000004
【図３】
2014071660.tif 000005
【図４】
2014071660.tif 000006
【図５】
2014071660.tif 000007
【図６】
2014071660.tif 000008
【図７】
2014071660.tif 000009
【図８】
2014071660.tif 000010
【図９】
2014071660.tif 000011
【図１０】
2014071660.tif 000012
【図１１】
2014071660.tif 000013
【図１２】
2014071660.tif 000014